(57)【要約】      （修正有）【課題】高速移動しても、ハンドルとマッサージヘッド間のワイヤが壊れにくいフェイシアガンを提供する。【解決手段】フェイシアガンは、ピストル本体、ピストル本体上に配置されたマッサージヘッド、マッサージヘッド内に設けられた補助理学療法コンポーネント、ピストル本体内に設けられた主回路基板、補助理学療法コンポーネントおよび主回路基板に電気的に接続された接続ケーブル４を含み、接続ケーブルは高速曲げに強い導電線材で形成される。マッサージヘッド内の補助理学療法コンポーネントに電気的に接続された接続ケーブルは高速曲げに強い導電線材で形成されることで、フェイシアガンのピストンが高速で移動すると、接続ケーブルが壊れやすい問題を解決し、接続ケーブルが壊れにくいため、電気的な接続を維持でき、フェイシアガンの使用寿命を延ばし、使用コストを削減する。【選択図】図２
0003233102.tif 000002
【実用新案登録請求の範囲】
【請求項１】
ピストル本体、前記ピストル本体上に配置されたマッサージヘッド、前記マッサージヘッド内に設けられた補助理学療法コンポーネント、前記ピストル本体内に設けられた主回路基板、前記補助理学療法コンポーネントおよび前記主回路基板に電気的に接続された接続ケーブルを含み、前記接続ケーブルは高速曲げに強い導電線材で形成される、ことを特徴とする新規なフェイシアガン。
【請求項２】
前記高速曲げに強い導電線材は外皮および内コアを含み、前記外皮は絶縁材料で形成され、前記内コアは超微細金属ファイバーワイヤで形成される、ことを特徴とする請求項１に記載の新規なフェイシアガン。
【請求項３】
前記超微細金属ファイバーワイヤはステンレスファイバーワイヤまたは銀ファイバーワイヤである、ことを特徴とする請求項２に記載の新規なフェイシアガン。
【請求項４】
前記接続ケーブルおよび前記補助理学療法コンポーネント間に接続補助部品がさらに設けられ、前記接続補助部品は溶接可能な導電材料で形成される、ことを特徴とする請求項２または３に記載の新規なフェイシアガン。
【請求項５】
前記接続補助部品の一端は前記接続ケーブルにリベットで接続され、他端は前記補助理学療法コンポーネントに溶接される、ことを特徴とする請求項４に記載の新規なフェイシアガン。
【請求項６】
前記接続補助部品は銅材料で形成される、ことを特徴とする請求項４に記載の新規なフェイシアガン。
【請求項７】
前記ピストル本体は、ハンドルおよび前記ハンドル頂部に垂直に接続されたシェルを含み、前記ハンドル側壁における前記シェルに対応する位置に、前記接続ケーブルが通るワイヤブリッジ構造が開設される、ことを特徴とする請求項４に記載の新規なフェイシアガン。
【請求項８】
前記補助理学療法コンポーネントは、順次電気的に接続された理学療法モジュール、理学療法制御回路基板および航空プラグを含み、前記シェル内に前記航空プラグに着脱に電気的に接続された航空ソケットが設けられ、前記接続補助部品は前記航空ソケットに溶接される、ことを特徴とする請求項７に記載の新規なフェイシアガン。
【請求項９】
前記シェル内に、ピストン部品、ガイド溝、ガイド溝シリコーン部品、シールカバーおよび位置決め部品が設けられ、前記ガイド溝は前記ガイド溝シリコーン部品を介して前記シェル内壁に接触し接続され、前記ピストン部品は前記ガイド溝内に摺動可能に設けられ、前記航空ソケットは前記シールカバーを貫通した後前記位置決め部品にねじ込まれ、前記位置決め部品は前記ピストン部品のチャンバ中の仕切板に固定接続され、前記仕切板上に、前記接続ケーブルが貫通するための第１の開口が設けられ、前記位置決め部品は中空構造を有し、内部に前記航空ソケットを収容するための空洞があり、前記接続ケーブルは前記第１の開口を貫通した後前記位置決め部品のチャンバに入って前記接続補助部品にリベットで接続される、ことを特徴とする請求項８に記載の新規なフェイシアガン。
【請求項１０】
前記位置決め部品は、プラスチック材料で形成され、係合部および接続部を含み、前記接続部は中空円筒形構造であり、内壁上にねじ部が設けられ、前記係合部は、前記接続部の一端に沿って垂直に外部へ延伸して形成されたボス構造であり、前記係合部の仕様形状は前記ピストン部品のチャンバの形状仕様に適合され、その上に位置決め穴が設けられ、前記仕切板の対応位置にねじ穴が設けられる、ことを特徴とする請求項９に記載の新規なフェイシアガン。
【考案の詳細な説明】
【技術分野】
【０００１】
本考案は、マッサージ機器の技術分野に関し、特に長寿命でワイヤが壊れにくい加熱・冷却機能を備えた新規なフェイシアガンに関する。
【背景技術】
【０００２】
フェイシアガンは、ピストルのような構造を有するマッサージ器具の１種であり、水平シェルおよび垂直のハンドルを含み、シェルの前端にマッサージヘッドが設けられている。マッサージヘッドは、往復振動してマッサージヘッドを筋肉に押圧させ筋肉を振動させることで、筋肉をリラックスさせ、血液循環を促進する効果を実現する。人々のさまざまな機能への要求を満たすために、従来のフェイシアガンは振動機能に加えて、冷温、電気ショックなどの他の補助理学療法機能を備え、対応する補助理学療法コンポーネントを取り付け、ハンドル内の主回路基板上から電線および信号線をシェル前端のマッサージヘッド内に引き出して、電力および制御信号を供給する必要がある。
【０００３】
本出願者は、従来技術には少なくとも以下の問題があることを発見した。
【０００４】
現在、市販されているフェイシアガン内に使用されているワイヤ材料および構造は、フェイシアガンのピストンが高速に移動する時の金属疲労問題を解決できず、例えば銅ワイヤまたは他の従来導電線材が長期間揺れたり振動したりすると壊れやすい。
【考案の概要】
【０００５】
本考案の目的は、従来技術におけるフェイシアガンが高速移動する時ワイヤが壊れやすい技術的問題を解決するために、新規なフェイシアガンを提供することである。
【０００６】
上記の目的を達成するために、本考案は以下の技術的解決策を提供する。
【０００７】
本考案によって提供される新規なフェイシアガンは、ピストル本体、前記ピストル本体上に配置されたマッサージヘッド、前記マッサージヘッド内に設けられた補助理学療法コンポーネント、前記ピストル本体内に設けられた主回路基板、前記補助理学療法コンポーネントおよび前記主回路基板に電気的に接続された接続ケーブルを含み、前記接続ケーブルは高速曲げに強い導電線材で形成される。
【０００８】
本考案の更なる改善として、前記高速曲げに強い導電線材は外皮および内コアを含み、前記外皮は絶縁材料で形成され、前記内コアは超微細金属ファイバーワイヤで形成される。
本考案の更なる改善として、前記超微細金属ファイバーワイヤはステンレスファイバーワイヤまたは銀ファイバーワイヤである。
【０００９】
本考案の更なる改善として、前記接続ケーブルおよび前記補助理学療法コンポーネントの間に接続補助部品がさらに設けられ、前記接続補助部品は溶接可能な導電材料で形成される。
【００１０】
本考案の更なる改善として、前記接続補助部品の一端は前記接続ケーブルにリベットで接続され、他端は前記補助理学療法コンポーネントに溶接される。
【００１１】
本考案の更なる改善として、前記接続補助部品は銅材料で形成される。
【００１２】
本考案の更なる改善として、前記ピストル本体は、ハンドルおよび前記ハンドル頂部に垂直に接続されたシェルを含み、前記ハンドル側壁の前記シェルに対応する位置に、前記接続ケーブルが通るワイヤブリッジ構造が開設される。
【００１３】
本考案の更なる改善として、前記補助理学療法コンポーネントは、順次電気的に接続された理学療法モジュール、理学療法制御回路基板および航空プラグを含み、前記シェル内に、前記航空プラグに着脱可能に電気的に接続された航空ソケットが設けられ、前記接続補助部品は前記航空ソケットに溶接される。
【００１４】
本考案の更なる改善として、前記シェル内にピストン部品、ガイド溝、ガイド溝シリコーン部品、シールカバーおよび位置決め部品が設けられ、前記ガイド溝は前記ガイド溝シリコーン部品を介して前記シェル内壁に接触し接続され、前記ピストン部品は前記ガイド溝内に摺動可能に設けられ、前記航空ソケットは前記シールカバーを貫通した後前記位置決め部品にねじ込まれ、前記位置決め部品は前記ピストン部品チャンバの仕切板に固定接続され、前記仕切板に前記接続ケーブルが貫通する第１の開口が設けられ、前記位置決め部品は中空構造であり、内部に前記航空ソケットを収容するための空洞が設けられ、前記接続ケーブルは前記第１の開口を貫通した後前記位置決め部品チャンバに入って前記接続補助部品にリベットで接続される。
【００１５】
本考案の更なる改善として、前記位置決め部品はプラスチック材料で形成され、係合部および接続部を含み、前記接続部は中空円筒形構造であり、内壁にねじ部が設けられ、前記係合部は前記接続部の一端に沿って垂直に外部へ延伸して形成されたボス構造であり、前記係合部の仕様形状は前記ピストン部品のチャンバの形状仕様に適合され、その上に位置決め穴が設けられ、前記仕切板の対応する位置にねじ穴が設けられる。
【００１６】
本考案は従来技術と比較すると以下の有益な効果を有する。
【００１７】
本考案によって提供される新規なフェイシアガンは、多機能フェイシアガンであり、パーカッション機能に加えて、冷温、電気ショックなどの他の補助理学療法機能を備え、マッサージヘッド内の補助理学療法コンポーネントに電気的に接続された接続ケーブルは高速曲げに強い導電線材で形成され、フェイシアガンのピストンが高速で移動すると、接続ケーブルが壊れやすい問題を解決し、接続ケーブルが壊れにくいため、電気的な接続を維持でき、フェイシアガンの使用寿命を延ばし、使用コストを削減でき、接続補助部品の使用とリベットや他のプロセスにより、接続ケーブルが航空ソケットに溶接され、接続ケーブルが超微細ステンレスファイバーワイヤであるとき溶接できない問題を解決し、航空ソケットは複数の穴があり、正負極区別および信号転送に用いられ、プラグの正確性を確保し、具体的な位置決め機能を有するプラスチック材料で形成された位置決め部品を使用することで、航空プラグはねじで該位置決め部品に固定され、該位置決め部品は２つの位置決め穴を介してピストン部品チャンバの仕切板に接続され、後端にねじで固定され、ワイヤブリッジ構造により、ステンレスファイバーワイヤ線材は該ワイヤブリッジ構造に巻きつけられ、両端はそれぞれハンドルおよびシェル内に入り、ワイヤブリッジ構造での巻きはソフト巻線であるため、リジッド接続線材のデッドポイントを回避し、支点として機能する。
【図面の簡単な説明】
【００１８】
本考案または先行技術の実施例における技術的解決策をより明確に説明するために、以下は、実施例または先行技術の説明において使用される必要のある図面を簡単に説明するが、以下説明される図面は本考案のいくつかの実施例に過ぎず、当業者であれば、創造的な労働をすることなくこれらの図面に基づき他の図面を得ることができるのは明らかである。
【図１】本考案のフェイシアガンをある方向から観察するときの分解図である。
【図２】本考案のフェイシアガンの部分構造の分解図の１である。
【図３】本考案のフェイシアガンのピストン部品、位置決め部品および航空ソケットが組み立てられた時の断面図の１である。
【図４】本考案のフェイシアガンを別の方向から観察するときの分解図である。
【図５】本考案のフェイシアガンの部分構造の分解図の２である。
【図６】本考案のフェイシアガンのピストン部品、位置決め部品および航空ソケットが組み立てられた時の断面図の２である。
【図７】本考案のフェイシアガンのピストン部品の立体構造の概略図である。
【図８】本考案のフェイシアガンの位置決め部品の立体構造の概略図である。
【考案を実施するための形態】
【００１９】
考案の目的、技術的解決策および利点をより明確にするために、考案の技術的解決策を以下に詳細に説明する。明らかに、記載された実施例は、すべての実施例ではなく、本考案の実施例の一部にすぎない。本考案の実施例に基づいて、当業者によって創造的な労働をせずに得られた他の実施例はすべて、本考案の保護範囲内に含まれる。
【００２０】
図１および図４に示すように、本考案は新規なフェイシアガンを提供し、ピストル本体１、ピストル本体１に設けられたマッサージヘッド２、マッサージヘッド２内に設けられた補助理学療法コンポーネント、ピストル本体１内に設けられた主回路基板３、補助理学療法コンポーネントおよび主回路基板３に電気的に接続された接続ケーブル４を含み、接続ケーブル４は高速曲げに強い導電線材で形成される。
【００２１】
さらに、補助理学療法コンポーネントは、冷却・加熱コンポーネントまたは電気ショックコンポーネントなどであり得、接続ケーブル４は電力供給ケーブルおよび信号ケーブルを含む。
本考案によって提供される新規なフェイシアガンは、多機能フェイシアガンであり、パーカッション機能に加えて、冷温、電気ショックなどの他の補助理学療法機能を備え、マッサージヘッド内の補助理学療法コンポーネントに電気的に接続された接続ケーブルは高速曲げに強い導電線材で形成され、フェイシアガンのピストンが高速で移動すると、接続ケーブルが壊れやすい問題を解決し、接続ケーブルが壊れにくいため、電気的な接続を維持でき、フェイシアガンの使用寿命を延ばし、使用コストを削減できる。
【００２２】
本考案の選択可能な実施形態として、高速曲げに強い導電線材は外皮および内コアを含み、外皮は絶縁材料で形成され、内コアは超微細金属ファイバーワイヤで形成される。
またさらに、絶縁材料はＴＰＥＥ材料であり得る。
【００２３】
なお、本考案の選択可能な実施形態では、超微細金属ファイバーワイヤはステンレスファイバーワイヤまたは銀ファイバーワイヤである。
【００２４】
なお、ステンレスファイバーワイヤの仕様として、直径０．９６ＭＭの接続ケーブル内に６０００本のファイバーワイヤがある。
【００２５】
ステンレス鋼繊維は、近年開発された新しいタイプの工業材料であり、現代科学の重要な分野である。ステンレス鋼繊維は、一般にフランスのＹｉｎｆｅｉ  ３１６Ｌ鋼のステンレス鋼をベース材料とし、複合組立、複数の束の引き抜き、焼きなまし、溶体化処理などの一連の特別なプロセスによって作られ、１束あたり数千または数万がある。ステンレス鋼繊維の表面積は非常に大きいため、内部構造、磁性、熱抵抗、融点の点で並外れた性能を発揮する。ステンレス鋼繊維ワイヤの直径は１〜２ミクロンに達し、伸び率は１％を超え、繊維強度は１２００〜１８００Ｍｐａに達する可能性があり、これは材料自体の引張強度を超えている。ステンレス鋼繊維の内部構造、物理的および化学的特性、表面特性は、繊維化プロセス中に大幅に変化したため、ステンレス鋼繊維は、金属材料自体に固有の高い弾性率、高い曲げ強度、引張強度を備えているだけでなく、またいくつかの特別な特性と非ステンレス鋼繊維の幅広い用途を持っている。ステンレス鋼繊維は、有機繊維や無機繊維に比べて、より高い弾力性、柔軟性（８μｍステンレス鋼繊維の柔らかさは１３μｍ麻繊維に相当）、柔軟性、密着性（適切な表面処理などの材料の場合）が高く、接着性が非常に優れており、あらゆる種類の複合材料に適する）、耐摩耗性、高温耐性（酸化環境では、温度は６００℃で連続して使用できる）、耐食性（ＨＮＯ３、アルカリおよび有機溶媒の耐食性）、より良い換気、電気導電性、磁気透過性、熱伝導性、自己潤滑性および焼結特性を有する。同時に、ステンレス鋼繊維の独自の環境保護と再利用性は、社会的生産と生活におけるその使用価値を大幅に高める。ステンレス鋼繊維をベース材料とする複合材料は、エレクトロニクス、化学、機械、軍事、繊維、食品、製薬業界で広く開発され、利用されており、幅広い応用の可能性がある。
【００２６】
図２および図５に示すように、さらに、接続ケーブル４および補助理学療法コンポーネントの間に接続補助部品５がさらに設けられ、接続補助部品５は溶接可能な導電材料で形成される。
【００２７】
接続ケーブル４は超微細ステンレスファイバーワイヤで形成され、この超微細ステンレスファイバーワイヤは溶接できないため、接続のため、接続補助部品５を採用し、接続補助部品５の一端は接続ケーブル４にリベットで接続され、他端は補助理学療法コンポーネントに溶接される。
【００２８】
接続補助部品の使用とリベットや他のプロセスにより、接続ケーブルは航空ソケットに溶接され得、接続ケーブルは超微細ステンレスファイバーワイヤである時溶接できない問題を解決した。
またさらに、接続補助部品５は銅材料で形成されるが、アルミニウムや鉄などのほかの導電材料で形成されてもよく、銅製接続補助部品５に限定されない。
【００２９】
図２および図５に示すように、本考案の選択可能な実施形態として、ピストル本体１はハンドル１１およびハンドル１１頂部に垂直に接続されたシェル１２を含み、ハンドル１１側壁のシェル１２に対応する位置に、接続ケーブル４が通るワイヤブリッジ構造６が開設される。
【００３０】
ワイヤブリッジ構造６により、ステンレスファイバーワイヤ線材は該ワイヤブリッジ構造６に巻きつけられ、両端がそれぞれハンドル１１およびシェル１２内に入り、ワイヤブリッジ構造６での巻きはソフト巻き線であるため、リジッド接続線材のデッドポイントを回避し、支点として機能する。
【００３１】
さらに、ワイヤブリッジ構造６は、ハンドル１１側壁に開設された上下の２つの通線穴であり、２つの通線穴の間に固定支持ビームが形成され、接続ケーブル４は１つの通線穴を貫通して固定支持ビーム周りにもう１つの通線穴に入り、第１の通線穴から引き出されて、接続ケーブル４の巻き固定および支持を実現し、ここで接続ケーブル４はソフト巻き線方式を採用し、つまり接続ケーブル４と固定支持ビーム間の接触面積はできるだけ小さく、ここでのソフト巻き線をできるだけ確保するために、２つの通線穴の仕様は接続ケーブル４の直径より大きく、一方の通線穴の仕様は接続ケーブル４の直径よりはるかに大きく、ケーブル配線のための十分なスペースを確保するためである。
【００３２】
本考案の選択可能な実施形態として、補助理学療法コンポーネントは、順次電気的に接続された理学療法モジュール７、理学療法制御回路基板８および航空プラグ９を含み、シェル１２内に、航空プラグ９に着脱可能に電気的に接続された航空ソケット１２１が設けられ、接続補助部品５は航空ソケット１２１に溶接される。
【００３３】
さらに、ハンドル１１とシェル１２はＬ字形の構造を有し、「ピストル」のようなフェイシアガンを形成し、マッサージヘッド２はシェル１２前端に位置し、ハンドル１１内に電力供給コンポーネント１００、往復駆動機構１１０および主回路基板３が設けられ、電力供給コンポーネント１００は通常、主回路基板３とワイヤを介して電気的に接続され、主回路基板３は通常ワイヤを介して往復駆動機構１１０に電気的に接続され、往復駆動機構１１０はマッサージヘッド２に伝達可能に接続され、マッサージヘッド２を駆動して軸方向に沿って往復移動させ、連続的なパーカッション動作を実現する。
【００３４】
本考案では、電力供給コンポーネント１００は充電式電池モジュールを含む。
【００３５】
以下、理学療法モジュール７は冷却・加熱コンポーネントである例を具体的に説明する。
【００３６】
冷却・加熱コンポーネントはマッサージヘッド２内に設けられ、マッサージヘッド２は熱または冷気を吸収して加熱または冷却され、マッサージ理学療法の人間の体表に与えて熱療または冷療を行う。
【００３７】
図１および図４に示すように、マッサージヘッド２は、マッサージヘッドカバー２１、マッサージヘッド体２２および衝突防止部品２３を含み、マッサージヘッド体２２はマッサージヘッドカバー２１に着脱可能に設けられ、具体的には、マッサージヘッド体２２とマッサージヘッドカバー２１はスナップまたはプラグ方式によって接続され、両者間に冷却・加熱コンポーネントを収容する収容チャンバが形成され、航空プラグ９はマッサージヘッドカバー２１に固定され、冷却・加熱コンポーネントに電気的に接続される。マッサージヘッド２は金属材料で形成される。
【００３８】
さらに、マッサージヘッドカバー２１はフレア状であり、拡張部および基部を含み、基部外側に衝突防止部品２３が嵌設され、マッサージヘッド２は往復駆動機構１１０に伝達可能に接続されると、基部がシェル１２内に入り、衝突防止部品２３を介してシェル１２内壁に接触し接続され得る。
【００３９】
なお、衝突防止部品２３は筒形構造であり、シリコーン材料で形成される。
【００４０】
図１に示すように、さらに、冷却・加熱コンポーネントは放熱アルミニウム片、冷却・加熱片、放熱ファンおよび温度感知部品を含み、温度感知部品はマッサージヘッド体２２内に固定され、理学療法制御回路基板８に電気的に接続され、放熱アルミニウム片はＵ字形の構造であり、頂部にスロットが設けられ、底部に空洞があり、放熱アルミニウム片の両側および空洞内にフィン形状の放熱構造が設けられ、冷却・加熱片はスロット内に係合され、放熱ファンは放熱アルミニウム片の内部の空洞内に配置され、理学療法制御回路基板８はマッサージヘッドカバー２１内に取り付けられ、放熱ファンはマッサージヘッドカバー２１内に固定されて理学療法制御回路基板８の上方に位置し、マッサージヘッドカバー２１の放熱ファンに対応する位置に第１の放熱穴が設けられ、以上の構造により、冷却・加熱片からの熱を放熱アルミニウム片および放熱ファンおよび第１の放熱穴を介して迅速にフェイシアガン外部へ放出させる。温度感知部品はＮＴＣサーミスタである。
【００４１】
往復駆動機構１１０はモータ、クランク１１０１および接続ロッド１１０２を含み、モータはハンドル１１内に設けられ、モータの出力軸はクランク１１０１に接続され、接続ロッド１１０２の一端はクランク１１０１に同軸接続され、他端はシェル１２内に位置する航空ソケット１２１に伝達可能に接続され、モータが動作すると、航空ソケット１２１、航空プラグ９を往復移動させて、マッサージヘッド２の軸方向に沿う往復移動を実現する。
【００４２】
図６および与７に示すように、シェル１２内にピストン部品１２２、ガイド溝１２３、ガイド溝シリコーン部品１２４、シールカバー１２５および位置決め部品１２６が設けられ、ガイド溝１２３はガイド溝シリコーン部品１２４を介してシェル１２内壁に接触し接続され、ピストン部品１２２はガイド溝１２３内に摺動可能に設けられ、航空ソケット１２１はシールカバー１２５を貫通した後位置決め部品１２６にねじ込まれ、位置決め部品１２６はピストン部品１２２のチャンバの仕切板１２７に固定接続され、仕切板１２７に接続ケーブル４が貫通する第１の開口が開設され、位置決め部品１２６は中空構造であり、内部に航空ソケット１２１を収容するための空洞があり、接続ケーブル４は第１の開口を貫通した後位置決め部品１２６のチャンバに入って接続補助部品５にリベットで接続される。
【００４３】
使用する時、航空プラグ９が航空ソケット１２１内に挿入されると、マッサージヘッド２と往復駆動機構１１０が伝達可能に接続され、冷却・加熱コンポーネントと電力供給コンポーネント１００の電気的接続も実現できる。
【００４４】
図３、図８に示すように、具体的には、位置決め部品１２６はプラスチック材料で形成され、係合部および接続部を含み、接続部は中空円筒形構造であり、内壁にねじ部が設けられ、係合部は接続部の一端に沿って垂直に外部へ延伸して形成されたボス構造であり、係合部の仕様形状はピストン部品１２２のチャンバの形状仕様に適合され、その上に位置決め穴が設けられ、仕切板１２７の対応位置にねじ穴が設けられる。
【００４５】
なお、航空ソケットは複数の穴があり、正負極区別および信号転送に用いられ、プラグの正確性を確保し、具体的な位置決め機能を有するプラスチック材料で形成された位置決め部品を使用することで、航空プラグはねじで該位置決め部品に固定され、該位置決め部品は２つの位置決め穴を介してピストン部品チャンバの仕切板に接続され、後端にねじで固定される。
【００４６】
ここで、「裏へ」とは収容空間の中央に近接する方向を指し、「外へ」とは収容空間の中央から離間する方向を指す。
【００４７】
本考案の説明では、用語「中心」、「縦方向」、「横方向」、「長さ」、「幅」、「厚さ」、「上」、「下」、「前」、「後」、「左」、「右」、「垂直」、「水平」、「頂」、「底」「内」、「外」、「時計回り」、「反時計回り」、「軸方向」、「径方向」、「周方向」などによって示す方向または位置関係は、図１に示す方向または位置関係に基づいたものであるが、本考案の説明を簡略化するためのものであり、かかる装置またはデバイスは必ず特定の方向、特定の方向構造および操作を有することを指示または暗示するものではないため、本考案の制限として理解することはできない。
【００４８】
さらに、用語「第１の」、「第２の」とは目的を説明するためのものであり、相対的な重要性または示された技術的特徴の数を指示または暗示するものではない。したがって、「第１」、「第２」つきの特徴は少なくとも１つの該特徴を含むことを明示または暗示する。本考案の説明では、「複数」とは、特に明記しない限り、少なくとも２つ、例えば２つ、３つなどを意味する。
【００４９】
本考案では、特に明確に規定や限定しない限り、用語「取付」、「連結」、「接続」、「固定」などは広義に理解されるべきであり、例えば、特に限定しない限り、固定接続であってもよく、着脱可能な接続であってもよく、または一体であってもよく、機械的な接続であってもよく、電気的な接続であってもよく、直接連結であってもよく、中間媒体を介した間接連結であってもよく、２つのデバイスの内部の連通または２つのデバイスの相互作用関係であってもよい。当業者は具体的な状況に応じて本考案における上記用語の具体的な意味を理解することができる。
【００５０】
本考案では、特に明確に規定や限定しない限り、第１の特徴は第２の特徴の「上」または「下」にあるとは、第１と第２の特徴が直接接触し、または第１と第２の特徴は中間媒介を介して間接接触することを意味し得る。そして、第１の特徴は第２の特徴「の上」、「上方」および「上面」にあるとは、第１の特徴は第２の特徴の真上または斜め上にあるか、または単に第１の特徴のレベルが２番目の機能よりも高いことを意味し得る。第１の特徴は第２の特徴「の下」、「下方」および「下面」にあるとは、第１の特徴が第２の特徴の真下または斜め下にあるか、または単に第１の特徴のレベルが第２の特徴よりも小さいことを意味し得る。
【００５１】
本明細書の説明において、「一実施例」、「いくつかの実施例」、「例」、「具体的な例」、または「いくつかの例」などの用語を参照する説明は、実施例または例に関連して説明される具体的な特徴、構造、材料または特徴は、本考案の少なくとも１つの実施例または例に含まれることを意味する。本明細書では、上記の用語の概略説明は、必ずしも同じ実施例または例を指すとは限らない。さらに、記載された具体的な特徴、構造、材料または特性は、任意の１つまたは複数の実施例または例において適切な方法で組み合わせることができる。さらに、当業者は、互いに矛盾することなく、本明細書に記載されている異なる実施例または実施例および異なる実施例または実施例の特徴を組み合わせることができる。
【００５２】
以上、本考案の具体的な実施形態を説明したが、本考案の保護範囲はここに限定されなく、本考案の技術範囲内に、当業者によって容易に相当した変更や置換はすべて、本考案の保護範囲に含まれるべきである。したがって、本考案の保護範囲は実用新案登録請求の範囲に従うべきである。
【符号の説明】
【００５３】
１          ピストル本体
１１        ハンドル
１２        シェル
１２１      航空ソケット
１２２      ピストン部品
１２３      ガイド溝
１２４      ガイド溝シリコーン部品
１２５      シールカバー
１２６      位置決め部品
１２７      仕切板
２          マッサージヘッド
２１        マッサージヘッドカバー
２２        マッサージヘッド体
２３        衝突防止部品
３          主回路基板
４          接続ケーブル
５          接続補助部品
６          ワイヤブリッジ構造
７          理学療法モジュール
８          理学療法制御回路基板
９          航空プラグ
１００      電力供給コンポーネント
１１０      往復駆動機構
１１０１    クランク
１１０２    接続ロッド
【図１】
0003233102.tif 000003
【図２】
0003233102.tif 000004
【図３】
0003233102.tif 000005
【図４】
0003233102.tif 000006
【図５】
0003233102.tif 000007
【図６】
0003233102.tif 000008
【図７】
0003233102.tif 000009
【図８】
0003233102.tif 000010